(57)【特許請求の範囲】
【請求項１】
長手方向と幅方向を有するアウター部材と、前記アウター部材の肌面側に設けられた吸収体とを有する男性用失禁パッドであって、
前記アウター部材は、前記長手方向に折り畳まれることにより山折りと谷折りが形成されたプリーツ部を有し、前記プリーツ部は前記幅方向の両端が固定されており、
前記吸収体は、前記アウター部材の前記プリーツ部以外の部分に固定され、前記プリーツ部には固定されておらず、
前記プリーツ部の折り畳みを展開することにより、前記アウター部材が前記吸収体を内側に収めたカップ状に形成されることを特徴とする男性用失禁パッド。
【請求項２】
長手方向と幅方向を有するアウター部材と、前記アウター部材の肌面側に設けられた吸収体とを有する男性用失禁パッドであって、
前記アウター部材は、前記長手方向に折り畳まれることにより山折りと谷折りが形成されたプリーツ部を有し、前記プリーツ部は前記幅方向の両端が固定されており、
前記吸収体は前記アウター部材に固定されておらず、
前記プリーツ部の折り畳みを展開することにより、前記アウター部材が前記吸収体を内側に収めたカップ状に形成されることを特徴とする男性用失禁パッド。
【請求項３】
前記アウター部材は、前記吸収体が固定された部分の前記長手方向の両側に、前記プリーツ部が各々設けられている請求項１に記載の男性用失禁パッド。
【請求項４】
前記吸収体の外面側および／または前記アウター部材の肌面側に接合手段が設けられ、前記吸収体が前記接合手段により前記アウター部材に着脱可能に形成されている請求項２に記載の男性用失禁パッド。
【請求項５】
前記吸収体は、前記長手方向の端縁に切欠きが形成されている請求項１〜４のいずれか一項に記載の男性用失禁パッド。
【請求項６】
前記吸収体は、前記プリーツ部が折り畳まれた状態で、前記長手方向に対し前記アウター部材と同じかそれよりも長く形成され、前記プリーツ部が展開した状態で、前記長手方向に対し前記アウター部材よりも短く形成されている請求項１〜５のいずれか一項に記載の男性用失禁パッド。
【請求項７】
前記アウター部材の前記長手方向の端部の肌面側に、前記幅方向に対する端部が前記アウター部材に固定された第１押さえ部材が設けられ、
前記男性用失禁パッドは、前記プリーツ部の折り畳みを展開することにより、前記アウター部材が前記吸収体を内側に収めたカップ状に形成され、
前記アウター部材がカップ状に形成された状態で、前記吸収体の前記長手方向の端部が前記アウター部材と前記第１押さえ部材との間に保持される請求項１〜６のいずれか一項に記載の男性用失禁パッド。
【請求項８】
前記アウター部材の前記長手方向の端部の外面側に、前記幅方向に対する端部が前記アウター部材に固定された第２押さえ部材が設けられ、
前記男性用失禁パッドは、前記プリーツ部の折り畳みを展開することにより、前記アウター部材が前記吸収体を内側に収めたカップ状に形成され、
前記幅方向に対する端部が前記アウター部材に固定された状態で前記第２押さえ部材の表裏を反転させて前記第２押さえ部材を前記アウター部材の肌面側に移動させることにより、前記アウター部材がカップ状に形成された状態で、前記吸収体の前記長手方向の端部が前記アウター部材と前記第２押さえ部材との間に保持される請求項１〜６のいずれか一項に記載の男性用失禁パッド。
【請求項９】
前記アウター部材の前記幅方向の両側の肌面側に、前記幅方向の外方が前記アウター部材に固定された第３押さえ部材が設けられている請求項１〜８のいずれか一項に記載の男性用失禁パッド。
【請求項１０】
前記アウター部材の外面側には、前記プリーツ部の谷折りの一方側に粘着部が設けられ、他方側に前記粘着部と剥離可能に貼着された剥離部が設けられている請求項１〜９のいずれか一項に記載の男性用失禁パッド。
【請求項１１】
前記吸収体は、前記長手方向および／または前記幅方向の端縁に切欠きが形成され、
前記吸収体の肌面側に、前記切欠きの縁に沿って、前記吸収体どうしを接合する第２接合手段が設けられている請求項１〜１０のいずれか一項に記載の男性用失禁パッド。
【発明の詳細な説明】
【技術分野】
【０００１】
本発明は、男性用失禁パッドに関するものである。
【背景技術】
【０００２】
従来、男性用の失禁パッドが知られており、男性用失禁パッドは男性器に宛がって用いられる。例えば特許文献１には、襞状に折り曲げられた襞状部を有し、襞状部の折り曲げ状態を２箇所以上の位置で固定する接合部を設けることにより、外面側が突出するように湾曲して形成された男性用失禁パッドが開示されている。この男性用失禁パッドは、接合部における固定部位を段階的に解除することにより、襞状部の折り曲げ状態を解除され、男性用失禁パッドの立体形状の深さを調節することができる。
【先行技術文献】
【特許文献】
【０００３】
【特許文献１】特開２０１０−２０７５０４号公報
【発明の概要】
【発明が解決しようとする課題】
【０００４】
一般に男性用失禁パッドは、男性器に宛がって用いられるため、使用時には立体形状を有することが好ましい。一方、立体形状の男性用失禁パッドは嵩張ったりして、携帯性に課題がある。本発明は前記事情に鑑みてなされたものであり、その目的は、携帯性に優れ、立体形状に形成可能な男性用失禁パッドを提供することにある。
【課題を解決するための手段】
【０００５】
前記課題を解決することができた本発明の男性用失禁パッドとは、長手方向と幅方向を有するアウター部材と、アウター部材の肌面側に設けられた吸収体とを有する男性用失禁パッドであって、アウター部材は、長手方向に折り畳まれることにより山折りと谷折りが形成されたプリーツ部を有し、プリーツ部は幅方向の両端が固定されているところに特徴を有する。本発明の男性用失禁パッドは、アウター部材がプリーツ部を有しているため、使用前はプリーツ部が折り畳まれてアウター部材がコンパクトな平面状に形成され、携帯性に優れるものとなる。男性用失禁パッドの使用の際には、プリーツ部の折り畳みを展開することにより、アウター部材が吸収体を内側に収めたカップ状に形成することができるため、男性器を好適に収容できるようになる。また、プリーツ部の折り畳みの展開度合を調整することにより、着用者に応じてカップ形状を調節することが可能となり、男性器へのフィット性を高めることができる。
【０００６】
吸収体は、長手方向の端縁に切欠きが形成されていることが好ましい。吸収体の長手方向の端縁に切欠きが形成されていれば、吸収体をカップ状に形成しやすくなる。そのため、カップ状に形成されたアウター部材の肌側面に沿うように吸収体を形成することが容易となる。
【０００７】
吸収体は、アウター部材のプリーツ部以外の部分に固定され、プリーツ部には固定されていないことが好ましい。吸収体がアウター部材に固定されていれば、男性用失禁パッドは吸収体とアウター部材を一体化して取り扱うことができる。そして、吸収体がアウター部材のプリーツ部に固定されていなければ、男性用失禁パッドの着用の際、プリーツ部の折り畳みを展開しやすくなる。
【０００８】
アウター部材は、吸収体が固定された部分の長手方向の両側に、プリーツ部が各々設けられていることが好ましい。このようにアウター部材にプリーツ部が設けられていれば、プリーツ部の折り畳みを展開することにより、アウター部材を、男性器を好適に収容できるようなカップ状に形成しやすくなる。
【０００９】
吸収体はアウター部材に固定されていなくてもよい。吸収体がアウター部材に固定されていなければ、男性用失禁パッドは、着用者が失禁した際、吸収体のみを交換してアウター部材をそのまま使い続けるような使用方法が可能となる。従って、着用者にとっては経済的に男性用失禁パッドを使用することができる。
【００１０】
吸収体がアウター部材に固定されていない場合、吸収体の外面側および／またはアウター部材の肌面側に接合手段が設けられ、吸収体が接合手段によりアウター部材に着脱可能に形成されていることが好ましい。吸収体の外面側および／またはアウター部材の肌面側に接合手段が設けられていれば、接合手段により吸収体をアウター部材に好適に固定でき、男性用失禁パッドの着用の際に吸収体がずれたり外れたりしにくくなる。また、着用者が失禁した際は、吸収体をアウター部材から取り外すことが容易になる。
【００１１】
吸収体は、プリーツ部が折り畳まれた状態で、長手方向に対しアウター部材と同じかそれよりも長く形成され、プリーツ部が展開した状態で、長手方向に対しアウター部材よりも短く形成されていることが好ましい。吸収体がアウター部材に対しこのような関係で形成されていれば、カップ状に形成されたアウター部材の内側に吸収体が好適に保持されやすくなる。また、吸収体の大きさが十分確保され、吸収体によって着用者から排泄された尿が好適に吸収されるようになる。
【００１２】
男性用失禁パッドは、アウター部材の長手方向の端部の肌面側に、幅方向に対する端部がアウター部材に固定された第１押さえ部材が設けられ、アウター部材がカップ状に形成された状態で、吸収体の長手方向の端部がアウター部材と第１押さえ部材との間に保持されるものであることが好ましい。このようにアウター部材に第１押さえ部材が設けられていれば、吸収体がカップ状に形成されたアウター部材の内側に好適に保持されるようになる。
【００１３】
男性用失禁パッドは、アウター部材の長手方向の端部の外面側に、幅方向に対する端部がアウター部材に固定された第２押さえ部材が設けられ、第２押さえ部材の表裏を反転させて第２押さえ部材をアウター部材の肌面側に移動させることにより、アウター部材がカップ状に形成された状態で、吸収体の長手方向の端部がアウター部材と第２押さえ部材との間に保持されるものであることも好ましい。アウター部材に第２押さえ部材が設けられていれば、第２押さえ部材の表裏を反転させながらアウター部材をカップ状に形成することが容易になる。従って、アウター部材をカップ状に形成した際、吸収体の長手方向の端部がアウター部材と第２押さえ部材との間に自然に保持されやすくなり、吸収体がカップ状に形成されたアウター部材の内側に好適に収められるようになる。
【００１４】
男性用失禁パッドは、アウター部材の幅方向の両側の肌面側に、幅方向の外方がアウター部材に固定された第３押さえ部材が設けられていることが好ましい。アウター部材に第３押さえ部材が設けられていれば、アウター部材をカップ状に形成した際、第３押さえ部材がカップ形状の側壁の一部を形成し、男性用失禁パッドが底の深いカップ形状に形成されるようになる。従って、吸収体がカップ状に形成されたアウター部材の内側に好適に収められるようになるとともに、男性用失禁パッドが男性器を好適に収容できるようになる。
【００１５】
アウター部材の外面側には、プリーツ部の谷折りの一方側に粘着部が設けられ、他方側に粘着部と剥離可能に貼着された剥離部が設けられていることが好ましい。このようにアウター部材の外側に粘着部と剥離部が設けられていれば、プリーツ部の折り畳みを展開することで粘着部が露出するようになる。そのため、一般に粘着剤や粘着テープを使用する際に行われる剥離シートを剥がす作業が省かれ、簡単に粘着部を露出することができ、男性用失禁パッドを着用者のパンツの内側に簡単に固定できるようになる。
【００１６】
吸収体は、長手方向および／または幅方向の端縁に切欠きが形成され、吸収体の肌面側に、切欠きの縁に沿って第２接合手段が設けられていてもよい。吸収体の肌面側に切欠きの縁に沿って第２接合手段が設けられていれば、第２接合手段により吸収体をカップ形状に保持しやすくなる。
【発明の効果】
【００１７】
本発明の男性用失禁パッドは、アウター部材がプリーツ部を有しているため、使用前はプリーツ部が折り畳まれてアウター部材がコンパクトな平面状に形成され、携帯性に優れるものとなる。男性用失禁パッドの使用の際には、プリーツ部の折り畳みを展開することによりアウター部材をカップ状に形成することができるため、男性器を好適に収容できるようになる。
【図面の簡単な説明】
【００１８】
【図１】本発明の男性用失禁パッド（第１実施態様）を外面側から見た平面図を表す。
【図２】図１に示した男性用失禁パッドを肌面側から見た平面図を表す。
【図３】図１に示した男性用失禁パッドのＡ−Ａ断面図を表す。
【図４】図１に示した男性用失禁パッドをカップ状に形成し、外面側から見た斜視図を表す。
【図５】図４に示した男性用失禁パッドを肌面側から見た斜視図を表す。
【図６】本発明の男性用失禁パッド（第２実施態様）を外面側から見た平面図を表す。
【図７】図６に示した男性用失禁パッドを肌面側から見た平面図を表す。
【図８】図６に示した男性用失禁パッドをカップ状に形成し、外面側から見た斜視図を表す。
【図９】図８に示した男性用失禁パッドを肌面側から見た斜視図を表す。
【図１０】図６に示した男性用失禁パッドをカップ状に形成する際に、第２押さえ部材の表裏を反転させて、第２押さえ部材をアウター部材の外面側から肌面側に移動させる方法を表す。
【図１１】接合手段が備えられた吸収体の一例を表す。
【発明を実施するための形態】
【００１９】
本発明の男性用失禁パッドについて、図面を参照して説明する。なお本発明は、図面に示された実施態様に限定されるものではない。
【００２０】
図１〜図５には、本発明の男性用失禁パッドの第１実施態様を示す。図１は第１実施態様にかかる男性用失禁パッドを外面側から見た平面図を表し、図２は図１に示した男性用失禁パッドを肌面側から見た平面図を表し、図３は図１のＡ−Ａ断面図を表し、図４はカップ状に形成した第１実施態様にかかる男性用失禁パッドを外面側から見た斜視図を表し、図５は図４に示したカップ状に形成された男性用失禁パッドを肌側面から見た斜視図を表す。なお、本願の図では、矢印ｘが幅方向、矢印ｙが長手方向を表し、矢印ｘ，ｙにより形成される面に対して垂直方向が厚み方向ｚを表す。
【００２１】
本発明の男性用失禁パッド１は、長手方向ｙと幅方向ｘを有するアウター部材２と、アウター部材２の肌面側に設けられた吸収体１１とを有する。男性用失禁パッド１を使用する際、吸収体１１は着用者の肌に面するように位置し、アウター部材２は着用者とは反対側すなわち外側に位置する。
【００２２】
本発明において、長手方向とは、男性用失禁パッドを着用の際、着用者の股間の前後方向（上下方向）に延びる方向に相当し、幅方向とは、着用者の左右方向に延びる方向に相当する。肌面側とは、男性用失禁パッドを着用する際に着用者の肌に向く側を意味し、外面側とは、着用者とは反対に向く側を意味する。
【００２３】
本発明の男性用失禁パッド１は、使用前は、図１や図２に示すようにアウター部材２が平面状に形成される。すなわち、アウターシート２のプリーツ部３が折り畳まれた状態に形成される。なお男性用失禁パッド１は、使用前の状態は図１や図２に示す態様に限定されず、例えば、幅方向ｘまたは長手方向ｙにさらに折り畳まれていてもよい。
【００２４】
男性用失禁パッド１は、使用時には、図４や図５に示すようにアウター部材２が吸収体１１を内側に収めたカップ状に形成される。男性用失禁パッド１は、使用の際、カップ形状の内部に男性器を収容して着用される。なお、カップ形状とは一方側に膨らんだ形状を意味し、例えば、カップ形状の開口が同一平面に形成される必要はない。
【００２５】
男性用失禁パッド１は、カップ状に形成されることにより、通常は、陰茎と陰嚢の両方を覆うように使用される。つまり、男性用失禁パッド１は、陰茎と、陰嚢の一部または全部を覆うものであることが好ましい。
【００２６】
アウター部材２は、図１や図３に示すように、長手方向ｙに折り畳まれることにより山折り４と谷折り５が形成されたプリーツ部３を有している。そして、プリーツ部３は幅方向ｘの両端が接合部６で固定されている。具体的には、アウター部材２は、幅方向ｘの両端で、山折り４を挟んだ両側および谷折り５を挟んだ両側が接合されている。そのため、プリーツ部３の折り畳みを展開すると、図４および図５に示されるように、アウター部材２がカップ状に形成される。接合部６は、接着剤、熱融着、超音波融着等の公知の接合手段により形成されればよい。
【００２７】
本発明において、山折り４と谷折り５はアウター部材２の外面側から見て定められるものとする。また、プリーツ部３とは、図１や図２に示すようにアウター部材２が平面状に形成された状態で、アウター部材２のうち、接合部６で接合された山折り４から谷折り５に至る部分およびそれと重なる部分を意味する。
【００２８】
図１では、プリーツ部３が長手方向ｙの両側に２つずつ設けられている。各プリーツ部３は、アウター部材２が長手方向ｙに折り畳まれて形成される。この際、各プリーツ部３は、少なくとも１つずつ形成された山折り４と谷折り５で折られることにより形成される。各プリーツ部３は、例えば図３に示すように、山折り４と谷折り５が１つずつ形成されてもよいし、図には示されていないが、山折り４と谷折り５が２つ以上ずつ形成されて、山折り４（あるいは谷折り５）により形成される２つ以上のひだが重なり合うように形成されてもよい。
【００２９】
山折り４と谷折り５は、長手方向ｙに並んで配される限りその延在方向は特に限定されないが、好ましくは、山折り４と谷折り５は幅方向ｘに対し略平行に形成される。また、山折り４と谷折り５は互いに同じ数だけ形成されることが好ましく、山折り４と谷折り５がそれぞれ複数形成される場合は、山折り４と谷折り５は交互に形成されることが好ましい。
【００３０】
アウター部材２が、男性器を好適に収容できるようなカップ状に形成されるためには、図１に示すように、アウター部材２の長手方向ｙの中心の両側に、プリーツ部３が各々設けられていることが好ましい。このようにプリーツ部３が設けられることにより、陰茎と陰嚢の両方を好適に収容しやすくなる。
【００３１】
プリーツ部３は、図１に示すように、アウター部材２の長手方向ｙの中心の両側に２つずつ設けられていることがより好ましい。このようにプリーツ部３が設けられていれば、プリーツ部３でアウター部材２が適度に屈曲し、底の深いカップ形状を形成しやすくなる。そのため、カップ状に形成されたアウター部材２に男性器を好適に収容できるようになる。
【００３２】
各プリーツ部３は、長手方向ｙの中心側にまず山折り４が設けられるように形成されることが好ましい。具体的には、プリーツ部３を展開した状態で、各プリーツ部３には、長手方向ｙの中心側にまず山折り４が形成されることが好ましい。図１では、長手方向ｙの中心側にまず山折り４が設けられ、次いで、長手方向ｙの外方に谷折り５が設けられている。このようにプリーツ部３が形成されていれば、男性用失禁パッド１を男性器を収容してパンツの内側に固定した際、パンツの外側から見てプリーツ部３の折り目が分かりにくくなり、男性用失禁パッド１を装着することの心理的負荷が低減する。
【００３３】
アウター部材２の形状は特に限定されない。アウター部材２の形状は、図１や図２に示すように長方形であってもよく、また円形、楕円形、多角形（角の丸まった多角形を含む）等であってもよい。好ましくは、アウター部材２は幅方向ｘに（すなわち、長手方向ｙに延びる中心線に対し）線対称に形成される。さらに、アウター部材２は長手方向ｙに（すなわち、幅方向ｘに延びる中心線に対し）線対称に形成されることも好ましく、このようにアウター部材２が形成されていれば、着用者は、アウター部材２の前後方向（上下方向）を気にせずに着用しやすくなる。
【００３４】
アウター部材２には、長手方向ｙの端部の肌面側に、幅方向ｘに対する端部がアウター部材２に固定された第１押さえ部材８が設けられることが好ましい。そして、アウター部材２がカップ状に形成された状態で、図５に示すように、吸収体１１の長手方向ｙの端部がアウター部材２と第１押さえ部材８との間に保持されることが好ましい。このようにアウター部材２に第１押さえ部材８が設けられることにより、吸収体１１がカップ状に形成されたアウター部材２の内側に好適に保持されるようになる。第１押さえ部材８は、アウター部材２とは別部材として設けられてもよく、図３に示すように、アウター部材２の長手方向ｙの端部が折り返されることにより形成されてもよい。
【００３５】
なお、図には示されていないが、アウター部材２の外面側には、粘着剤やフック・ループ・ファスナー等の固定手段が設けられていてもよい。アウター部材２の外面側に固定手段が設けられていれば、固定手段により男性用失禁パッド１を着用者のパンツの内側に好適に固定できるようになる。
【００３６】
好ましくは、アウター部材２の外面側に設けられる固定手段として、粘着部がプリーツ部３の谷折り５の一方側に設けられ、他方側に粘着部と剥離可能に貼着された剥離部が設けられる。このとき、粘着部は、プリーツ部３が折り畳まれた状態で、アウター部材２の外面側に露出していないことが好ましい。粘着部は、アウター部材２に粘着剤が塗布されたり、粘着テープが貼り付けられることにより形成されればよい。剥離部は、例えば、アウター部材２にプラスチックフィルムが取り付けられて形成されたり、あるいはアウター部材２をプラスチックフィルムで構成することにより形成されてもよい。プリーツ部３の谷折り５の一方側に粘着部が設けられ、他方側に剥離部が設けられていれば、プリーツ部３の折り畳みを展開することで粘着部が露出するようになる。そのため、一般に粘着剤や粘着テープを使用する際に行われる剥離シートを剥がす作業が省かれ、簡単に粘着部を露出することができ、男性用失禁パッド１を着用者のパンツの内側に簡単に固定できるようになる。
【００３７】
吸収体１１は、着用者から排泄された尿を吸収するものであり、アウター部材２の肌面側に設けられる。男性用失禁パッド１の使用の際、アウター部材２がカップ状に形成されると、図５に示すように、吸収体１１はカップ形状の内側に収められる。
【００３８】
図１および図２では、吸収体１１はアウター部材２に固定部７で固定されている。つまり、吸収体１１は、男性用失禁パッド１の使用前からアウター部材２に固定されている。吸収体１１は、接着剤等の固定手段によりアウター部材２に固定されればよい。
【００３９】
固定部７はプリーツ部３以外の場所に設けられることが好ましい。従って、吸収体１１は、アウター部材２のプリーツ部３以外の部分に固定され、プリーツ部３には固定されていないことが好ましい。さらに、吸収体１１は、プリーツ部３を跨いでアウター部材２に固定されていないことが好ましい。このように吸収体１１がアウター部材２に固定されていれば、男性用失禁パッド１の着用の際、プリーツ部３の折り畳みを展開しやすくなる。
【００４０】
固定部７は、アウター部材２の長手方向ｙの中心付近に設けられることが好ましい。また、アウター部材２には、固定部７の長手方向ｙの両側にプリーツ部３が各々設けられていることが好ましく、固定部７の長手方向ｙの両側にプリーツ部３が２つずつ設けられていることがより好ましい。このように男性用失禁パッド１が形成されていれば、アウター部材２のプリーツ部３の折り畳みを展開することにより、男性用失禁パッド１を、吸収体１１が内側に収めたカップ状に形成しやすくなる。またこの際、各プリーツ部３は、固定部７側にまず山折り４が設けられるように形成されることが好ましい。
【００４１】
なお、図には示されていないが、吸収体１１は、アウター部材２に固定されていなくてもよい。例えば、男性用失禁パッド１の使用の際に、アウター部材２の肌面側に吸収体１１を重ね、アウター部材２のプリーツ部３の折り畳みを展開することにより、アウター部材２を吸収体１１を内側に収めたカップ状に形成し、男性用失禁パッド１を装着してもよい。吸収体１１がアウター部材２に固定されていなければ、男性用失禁パッド１は、着用者が失禁した際、吸収体１１のみを交換してアウター部材２をそのまま使い続けるような使用方法が可能となる。従って、着用者にとっては経済的に男性用失禁パッド１を使用することができる。
【００４２】
吸収体１１がアウター部材２に固定されていない場合、吸収体１１の外面側および／またはアウター部材２の肌面側には接合手段が設けられ、吸収体１１が接合手段によりアウター部材２に着脱可能に形成されていることが好ましい。接合手段は、固定部７と同じような位置に設けられればよい。すなわち、接合手段がアウター部材２に設けられる場合は、プリーツ部３以外の部分に設けられることが好ましく、接合手段が吸収体１１に設けられる場合は、接合手段がプリーツ部３と接合しないような位置に設けられることが好ましい。吸収体１１の外面側および／またはアウター部材２の肌面側に接合手段が設けられていれば、接合手段により吸収体１１をアウター部材２に好適に固定でき、男性用失禁パッド１の着用の際に吸収体１１がずれたり外れたりしにくくなる。また、着用者が失禁した際は、吸収体１１をアウター部材２から取り外すことが容易になる。
【００４３】
接合手段としては、フック・ループ・ファスナーや粘着剤等が挙げられる。具体的には、吸収体１１の外面側とアウター部材２の肌面側の一方にフック・ループ・ファスナーのフック部材が設けられ、他方にフック・ループ・ファスナーのループ部材が設けられる態様、吸収体１１の外面側とアウター部材２の肌面側の一方に粘着剤が設けられ、他方にプラスチックフィルムが設けられる態様等が示される。ループ部材としては不織布を用いてもよく、この場合、吸収体１１の外面側またはアウター部材２の肌面側を不織布で構成してもよい。また、吸収体１１の外面側とアウター部材２の肌面側の一方にプラスチックフィルムを設ける場合は、吸収体１１の外面側またはアウター部材２の肌面側をプラスチックフィルムで構成してもよい。
【００４４】
吸収体１１の形状は特に限定されない。吸収体１１の形状は、例えば、円形、楕円形、多角形（角の丸まった多角形を含む）、砂時計形等が挙げられる。好ましくは、吸収体１１は幅方向ｘに（すなわち、長手方向ｙに延びる中心線に対し）線対称に形成される。さらに、吸収体１１は、長手方向ｙに（すなわち、幅方向ｘに延びる中心線に対し）線対称に形成されることも好ましい。
【００４５】
吸収体１１は、アウター部材２に対し、次のように形成されていることが好ましい。すなわち、吸収体１１は、アウター部材２のプリーツ部３が折り畳まれた状態で、長手方向ｙに対しアウター部材２と同じかそれよりも長く形成され、アウター部材２のプリーツ部３が展開した状態で、長手方向ｙに対しアウター部材２よりも短く形成されていることが好ましい。なお、プリーツ部３が折り畳まれた状態とは、プリーツ部３が複数ある場合は、全てのプリーツ部が折り畳まれた状態を意味し、プリーツ部３が展開した状態とは、全てのプリーツ部が展開した状態を意味する。プリーツ部３が展開した状態でのアウター部材２の長手方向ｙの長さは、プリーツ部３の接合部６の接合を解いた状態で測定する。吸収体１１がアウター部材２に対しこのような関係で形成されていれば、カップ状に形成されたアウター部材２の内側に吸収体１１が好適に保持されやすくなる。また、吸収体１１の大きさが十分確保され、吸収体１１により着用者から排泄された尿が好適に吸収されるようになる。なお、吸収体１１は、幅方向ｘに対しては、アウター部材２と同じかそれよりも短く形成されていることが好ましい。
【００４６】
吸収体１１は、図２に示されるように、長手方向ｙの端縁に切欠き１２が形成されていることが好ましい。より好ましくは、切欠き１２は、吸収体１１の長手方向ｙの両端縁に形成される。吸収体１１の長手方向ｙの端縁に切欠き１２が形成されていれば、吸収体１１をカップ状に形成しやすくなる。すなわち、吸収体１１を幅方向ｘに（すなわち、長手方向ｙに延びる折り目で）折り曲げことで、カップ状に形成されたアウター部材２の肌側面に沿うように吸収体１１を形成することが容易となる。そのため、吸収体１１がカップ状に形成されたアウター部材２の内側に好適に収められるようになる。
【００４７】
吸収体１１がカップ状に好適に形成されるために、切欠き１２は次のように形成されることが好ましい。すなわち、切欠き１２は吸収体１１の幅方向ｘの中心線（すなわち、長手方向ｙに延びる中心線）を跨ぐように形成されることが好ましく、さらに、幅方向ｘの中心線に対し線対称に形成されることがより好ましい。切欠き１２の形状としては、切欠き１２は略Ｖ字状に形成されていることが好ましい。すなわち、切欠き１２は、吸収体１１の長手方向ｙの端縁から内方に向かって幅方向ｘの長さが漸減するように形成されていることが好ましい。
【００４８】
以上のように、本発明の男性用失禁パッド１は、アウター部材２がプリーツ部３を有しているため、使用前はアウター部材２が平面状に折り畳まれ、携帯性に優れるものとなる。男性用失禁パッド１の使用の際には、プリーツ部３の折り畳みを展開することによりアウター部材２がカップ状に形成され、男性器を好適に収容できるようになる。また、カップ状に形成されたアウター部材２の内側に収められた吸収体により、尿が好適に吸収されるようになる。さらに、プリーツ部３の折り畳みの展開度合を調整することにより、着用者に応じてカップ形状を調節することが可能となり、男性器へのフィット性を高めることができる。
【００４９】
次に本発明の男性用失禁パッドの別の実施態様について説明する。図６〜図９には、本発明の男性用失禁パッドの第２実施態様を示す。図６は第２実施態様にかかる男性用失禁パッドを外面側から見た平面図を表し、図７は図６に示した男性用失禁パッドを肌面側から見た平面図を表し、図８はカップ状に形成した第２実施態様にかかる男性用失禁パッドを外面側から見た斜視図を表し、図９は図８に示したカップ状に形成された男性用失禁パッドを肌側面から見た斜視図を表す。なお下記の説明において、図１〜図５に示した第１実施態様と重複する部分の説明は省略する。
【００５０】
第２実施態様に係る男性用失禁パッド１では、図６に示すように、アウター部材２が、角の丸まった八角形の形状に形成されている。このようにアウター部材２が長手方向ｙの外方に向かって幅方向ｘの長さが漸減するように形成されていれば、男性用失禁パッド１が着用者の股間でコンパクトに収まりやすくなる。
【００５１】
図６では、男性用失禁パッド１は、アウター部材２の長手方向ｙの端部の外面側に、幅方向ｘに対する端部がアウター部材２に固定された第２押さえ部材９が設けられている。このように、男性用失禁パッド１には第２押さえ部材９が備わっていることも好ましく、その結果、図１０に示されるように、アウター部材２をカップ状に形成する際に、第２押さえ部材９の表裏を反転させて第２押さえ部材９をアウター部材２の肌面側に移動させることにより（図１０（ａ）参照）、アウター部材２がカップ状に形成された状態で、吸収体１１の長手方向ｙの端部がアウター部材２と第２押さえ部材９との間に保持されるようになる（図１０（ｂ）参照）。このようにアウター部材２に第２押さえ部材９が設けられていれば、第２押さえ部材９の表裏を反転させながらアウター部材２をカップ状に形成することが容易になる。従って、アウター部材２をカップ状に形成した際、吸収体１１の長手方向ｙの端部がアウター部材２と第２押さえ部材９との間に自然に保持されやすくなり、吸収体１１がカップ状に形成されたアウター部材２の内側に好適に収められるようになる。第２押さえ部材９は、アウター部材２とは別部材として設けられてもよく、アウター部材２の長手方向ｙの端部が折り返されることにより形成されてもよい。
【００５２】
図６では、男性用失禁パッド１は、アウター部材２の幅方向ｘの両側の肌面側に、幅方向ｘの外方がアウター部材２に固定された第３押さえ部材１０が設けられている。このように、男性用失禁パッド１には第３押さえ部材１０が備わっていることも好ましい。第３押さえ部材１０が設けられていれば、図８および図９に示すように、アウター部材２をカップ状に形成した際、第３押さえ部材１０がカップ形状の側壁の一部を形成し、男性用失禁パッド１が底の深いカップ形状に形成されるようになる。従って、吸収体１１がカップ状に形成されたアウター部材２の内側に好適に収められるようになるとともに、男性用失禁パッド１が男性器を好適に収容できるようになる。第３押さえ部材１０は、アウター部材２とは別部材として設けられてもよく、アウター部材２の幅方向ｘの端部が折り返されることにより形成されてもよい。
【００５３】
第２実施態様に係る男性用失禁パッド１では、図７に示すように、吸収体１１の長手方向ｙの端縁に切欠き１２が形成されているとともに、幅方向ｘの端縁にも切欠き１３が形成されている。吸収体１１の幅方向ｘの端縁に切欠き１３が形成されていれば、図９に示すように、吸収体１１を長手方向ｙに（すなわち、幅方向ｘに延びる折り目で）折り曲げやすくなる。従って、吸収体１１の男性器へのフィットが向上し、男性器が吸収体１１によって好適に覆われるようになり、着用者から排泄された尿を吸収体１１がより確実に受けることができるようになる。好ましくは、切欠き１３は、吸収体１１の幅方向ｘの両端縁に形成される。
【００５４】
切欠き１３は吸収体１１の長手方向ｙの中心線（すなわち、幅方向ｘに延びる中心線）を跨ぐように形成されることが好ましい。切欠き１３の形状としては、切欠き１３は略Ｖ字状に形成されていることが好ましい。すなわち、切欠き１３は、吸収体１１の幅方向ｘの端縁から内方に向かって長手方向ｙの長さが漸減するように形成されていることが好ましい。
【００５５】
なお、図には示されていないが、吸収体１１は、長手方向ｙの端縁に切欠き１２が形成されずに、幅方向ｘの端縁のみに切欠き１３が形成されていてもよい。
【００５６】
図１１には、図６に示した男性用失禁パッド１に備えられる吸収体１１を肌面側から見た平面図を示すが、吸収体１１の肌面側には、長手方向ｙの端縁に形成された切欠き１２の縁に沿って第２接合手段１４が設けられてもよく、幅方向ｘの端縁に形成された切欠き１３の縁に沿って第２接合手段１５が設けられてもよい。切欠き１２の縁に沿って第２接合手段１４が設けられていれば、吸収体１１を切欠き１２で幅方向ｘに折り、切欠き１２を通る折り目を挟んだ両側で吸収体１１どうしを第２接合手段１４により接合することにより、吸収体１１をカップ形状に保持しやすくなる。同様に、切欠き１３の縁に沿って第２接合手段１５が設けられていれば、吸収体１１を切欠き１３で長手方向ｙに折り、切欠き１３を通る折り目を挟んだ両側で吸収体１１どうしを第２接合手段１５により接合することにより、吸収体１１をカップ形状に保持しやすくなる。第２接合手段１４は切欠き１２の長手方向ｙに対する最内方部の両側または一方側の縁に沿って設けられることが好ましく（図１１では１４ａ，１４ｂで示されている）、第２接合手段１５は切欠き１３の幅方向ｘに対する最内方部の両側または一方側の縁に沿って設けられることが好ましい（図１１では１５ａ，１５ｂで示されている）。
【００５７】
図１１に示すように、吸収体１１の長手方向ｙの端縁と幅方向ｘの端縁の両方に切欠き１２，１３が形成される場合は、切欠き１２と切欠き１３のそれぞれの縁に沿って第２接合手段１４と第２接合手段１５が設けられてもよく、切欠き１２と切欠き１３のいずれかの縁に沿って第２接合手段１４または第２接合手段１５が設けられてもよい。また、図には示されていないが、吸収体１１の長手方向ｙの端縁のみに切欠き１２が形成される場合は、切欠き１２の縁に沿って第２接合手段１４が設けられてもよく、吸収体１１の幅方向ｘの端縁のみに切欠き１３が形成される場合は、切欠き１３の縁に沿って第２接合手段１５が設けられてもよい。
【００５８】
第２接合手段１４，１５としては、粘着剤等が挙げられる。第２接合手段１４として粘着剤を採用する場合は、第２接合手段１４ａと第２接合手段１４ｂの一方に粘着剤を設ければよい。この場合、男性用失禁パッド１の使用の際に、第２接合手段１４により切欠き１２で吸収体１１どうしを接合してもよいし、男性用失禁パッド１の使用前から第２接合手段１４により切欠き１２で吸収体１１どうしが接合されていてもよい。第２接合手段１５として粘着剤が採用される場合も同様である。
【００５９】
第２接合手段１４，１５としては、熱融着（ヒートシール）を採用してもよい。この場合は、男性用失禁パッド１の使用前から第２接合手段１４により切欠き１２で吸収体１１どうしが接合されていることとなる。第２接合手段１５として熱融着が採用される場合も同様である。
【００６０】
以上、本発明の男性用失禁パッドについて、図面を参照して説明したが、本発明の男性用失禁パッドは図面に示された実施態様に限定されるものではない。アウター部材２と吸収体１１の組み合わせは第１実施態様と第２実施態様に限定されず、例えば、第１実施態様のアウター部材２に第２実施態様の吸収体１１を組み合わせてもよく、第２実施態様のアウター部材２に第１実施態様の吸収体１１を組み合わせてもよく、吸収体１１として切欠き１２，１３が形成されないものを用いてもよい。また、アウター部材２の形状も特に限定されない。いずれの態様においても、アウター部材２は吸収体１１に対し固定されていてもよく、固定されていなくてもよい。また、第１押さえ部材８、第２押さえ部材９、第３押さえ部材１０は任意に設けられる部材であり、例えば、第１実施態様のアウター部材２に第２押さえ部材９および／または第３押さえ部材１０が設けられてもよく、第２実施態様のアウター部材２に第１押さえ部材８が設けられてもよい。
【００６１】
次に、男性用失禁パッドを構成する材料について説明する。アウター部材を構成する材料としては、不織布、織布、編布、プラスチックフィルム、およびこれらの積層体等を使用できる。アウター部材の材料として不織布、織布、編布等の布材料を用いる場合、布材料を構成する繊維としては、例えば、ポリオレフィン（例えば、ポリプロピレン、ポリエチレン）、ポリエステル（例えば、ＰＥＴ）、ポリアミド（例えば、ナイロン）等の合成繊維、セルロース、レーヨン、コットン等の天然繊維を用いればよい。アウター部材の材料として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。アウター部材の材料としてプラスチックフィルムを用いる場合は、例えば、ポリオレフィン（例えば、ポリプロピレン、ポリエチレン）、ポリエステル（例えば、ＰＥＴ）、ポリアミド（例えば、ナイロン）等の合成樹脂を用いればよい。アウター部材は、親水性であっても液不透過性であってもよいが、液不透過性であることが好ましい。なお、液不透過性とは撥水性の意味も含まれる。
【００６２】
アウター部材は水解性であってもよい。水解性とは、水洗トイレ等で水に流した際に分散あるいは溶解してその原形が失われる性質を意味する。従って、アウター部材が水解性であれば、アウター部材を通常の水洗トイレ等に流して廃棄することが可能となる。
【００６３】
アウター部材が水解性を有するためには、アウター部材が水解性材料から構成されていることが好ましい。水解性材料としては、木材パルプ繊維、非木材系植物繊維、レーヨン繊維、ポリエステル繊維等の合成繊維等が挙げられる。さらに水解性材料に、澱粉、ポリアクリル酸水溶液、ポリエチレンオキサイド、アルキルセルロース、ヒドロキシアルキルセルロース等の水溶性バインダーが加えられていてもよい。
【００６４】
アウター部材は生分解性であってもよい。生分解性とは、微生物等の生物によって分解可能であることを意味する。アウター部材が生分解性であれば、アウター部材を水洗トイレに流して廃棄した際、下水処理場等で活性汚泥処理等が施されて、アウター部材が好適に二酸化炭素や汚泥等に分解され得る。
【００６５】
第１押さえ部材、第２押さえ部材、第３押さえ部材は、アウター部材として使用可能な材料を用いればよい。
【００６６】
吸収体は、尿を吸収できる材料から構成されていればよい。吸収体としては、例えば、（ｉ）吸収性材料をシート部材で覆ったもの、（ｉｉ）シート状の吸収性材料を所望形状に形成したもの、等を用いることができる。吸収性材料としては、前記（ｉ）の場合、例えば、粉砕したパルプ繊維、セルロース繊維等の親水性繊維；ポリアクリル酸系、ポリアスパラギン酸系、セルロース系、デンプン・アクリロニトリル系等の吸水性樹脂等を用いることができ、前記（ｉｉ）の場合、例えば、発泡ポリマー；ケミカルボンド不織布、エアレイド不織布、エアスルー不織布、スパンレース不織布等の液保持性の高い不織布等を用いることができる。前記（ｉ）の場合、シート部材の少なくとも一部は液透過性であり、液透過性のシート部材としては、紙（例えば、ティッシュペーパーや薄葉紙）や親水性不織布等を用いることができる。液透過性のシート部材は吸収体の肌面側に設けられ、吸収体の外面側にも設けられてもよい。また、吸収体の外面側には、液不透過性不織布やプラスチックフィルム等の液不透過性のシート部材が設けられてもよい。前記（ｉｉ）の場合も、シート状の吸収性材料がシート部材により覆われてもよい。
【００６７】
吸収体は、不織布間に吸水性樹脂を有しパルプ繊維を有しないシート状吸収体を有していてもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。
【００６８】
シート状吸収体に用いられる不織布は液透過性であり、そのような不織布としては、例えば、セルロース、レーヨン、コットン等の親水性繊維；ポリオレフィン（例えば、ポリプロピレン、ポリエチレン）、ポリエステル（例えば、ＰＥＴ）、ポリアミド（例えば、ナイロン）等の疎水性繊維を界面活性剤で親水化したものを用いればよい。シート状吸収体に用いられる不織布としては、比較的薄くて柔軟性の高い不織布が好ましく、例えば、スパンボンド不織布、ポイントボンド不織布、メルトブロー不織布、またはＳＭＳ不織布を用いることが好ましい。
【符号の説明】
【００６９】
１：  男性用失禁パッド
２：  アウター部材
３：  プリーツ部
４：  山折り
５：  谷折り
８：  第１押さえ部材
９：  第２押さえ部材
１０：  第３押さえ部材
１１：  吸収体
【図１】
0005890649.tif 000002
【図２】
0005890649.tif 000003
【図３】
0005890649.tif 000004
【図４】
0005890649.tif 000005
【図５】
0005890649.tif 000006
【図６】
0005890649.tif 000007
【図７】
0005890649.tif 000008
【図８】
0005890649.tif 000009
【図９】
0005890649.tif 000010
【図１０】
0005890649.tif 000011
【図１１】
0005890649.tif 000012